(57)【要約】【課題】車両に搭載された二次電池の劣化状態に応じて二次電池を有効に活用可能な技術を提供する。【解決手段】マップ記憶部４３は、マップ４４を記憶する。マップ４４は、バッテリの使用可能期間および車両の走行可能距離を確保するために最低限必要なバッテリの性能を示す許容性能指数ωを、バッテリの使用期間および車両の走行距離の各々の平方根に基づいて規定する。電池性能推定部４６は、バッテリの現在の性能を示す電池性能指数γｂａｔを推定する。許容性能推定部４５は、バッテリの使用期間と、車両の走行距離と、マップ４４とを用いて、許容性能指数ωを取得する。充放電制御部４７は電池性能指数γｂａｔが許容性能指数ωより小さい場合には、バッテリの充放電のための制御を、現在の制御から、バッテリの劣化を抑制するための劣化抑制制御に変更する。【選択図】図２
2011044346.tif 000002
【特許請求の範囲】
【請求項１】
車両を走行させる電動機に電力を供給するための二次電池の制御装置であって、
前記二次電池の使用可能期間および前記車両の走行可能距離を確保するために最低限必要な前記二次電池の性能を示す許容性能指数を、前記二次電池の使用期間および前記車両の走行距離の各々の平方根に基づいて規定するマップを記憶する記憶部と、
前記二次電池の充電時および放電時における前記二次電池の状態を検出する検出部と、
前記検出部の検出結果から、前記二次電池の現在の性能を示す電池性能指数を推定する電池性能推定部と、
前記二次電池の前記使用期間と、前記車両の前記走行距離と、前記記憶部に記憶された前記マップとを用いて、前記許容性能指数を取得する許容性能推定部と、
前記電池性能推定部からの前記電池性能指数と前記許容性能推定部からの前記許容性能指数とを比較するとともに、その比較結果に基づいて前記二次電池の充放電を制御する制御部とを備え、
前記制御部は、前記電池性能指数が前記許容性能指数以上である場合には、前記二次電池の充放電に関する現在の制御を維持する一方で、前記電池性能指数が前記許容性能指数より小さい場合には、前記二次電池の充放電のための制御を、前記現在の制御から、前記二次電池の劣化を抑制するための劣化抑制制御に変更する、二次電池の制御装置。
【請求項２】
前記制御部は、前記二次電池の充放電制御のためのパラメータを用いて、前記二次電池の劣化状態を示す劣化係数を算出し、前記電池性能指数が前記許容性能指数より小さい場合には、前記走行距離を用いて前記劣化係数を低下させるとともに、低下した劣化係数から得られる前記パラメータに基づいて前記劣化抑制制御を実行する、請求項１に記載の二次電池の制御装置。
【請求項３】
前記制御部は、前記二次電池の充電状態を示す状態値を制御することによって前記二次電池の充放電を制御し、
前記パラメータは、前記状態値の制御範囲の中心値であり、
前記劣化抑制制御の実行時に用いられる前記中心値は、前記現在の制御の実行時に用いられる前記中心値よりも小さい、請求項２に記載の二次電池の制御装置。
【請求項４】
前記パラメータは、前記二次電池の温度の目標値であり、
前記劣化抑制制御の実行時に用いられる前記目標値は、前記現在の制御の実行時に用いられる前記目標値よりも小さい、請求項２に記載の二次電池の制御装置。
【請求項５】
前記パラメータは、前記二次電池の許容入力電力量および許容出力電力量を含み、
前記劣化抑制制御の実行時に用いられる前記許容入力電力量は、前記現在の制御の実行時に用いられる前記許容入力電力量よりも小さく、
前記劣化抑制制御の実行時に用いられる前記許容出力電力量は、前記現在の制御の実行時に用いられる前記許容出力電力量よりも小さい、請求項２に記載の二次電池の制御装置。
【請求項６】
前記パラメータは、前記二次電池の電圧の上限値であり、
前記劣化抑制制御の実行時に用いられる前記上限値は、前記現在の制御の実行時に用いられる前記上限値よりも小さい、請求項２に記載の二次電池の制御装置。
【請求項７】
車両を走行させる電動機に電力を供給するための二次電池の制御方法であって、
前記二次電池の充電時および放電時における前記二次電池の状態に基づいて、前記二次電池の現在の性能を示す電池性能指数を推定するステップと、
前記二次電池の使用可能期間および前記車両の走行可能距離を確保するために最低限必要な前記二次電池の性能を示す許容性能指数を、前記二次電池の使用期間および前記車両の走行距離の各々の平方根に基づいて規定するマップと、前記二次電池の前記使用期間と、前記車両の前記走行距離とを用いることにより、前記許容性能指数を取得するステップと、
前記電池性能指数と前記許容性能指数とを比較することによって、前記二次電池の充放電を制御するステップとを備え、
前記制御するステップは、
前記電池性能指数が前記許容性能指数以上である場合には、前記二次電池の充放電に関する現在の制御を維持するステップと、
前記電池性能指数が前記許容性能指数より小さい場合には、前記二次電池の充放電のための制御を、前記現在の制御から、前記二次電池の劣化を抑制するための劣化抑制制御に変更するステップとを含む、二次電池の制御方法。
【請求項８】
車両を走行させる電動機に電力を供給するための二次電池を制御する制御装置に用いられる制御マップの作成方法であって、
前記二次電池の初期性能を示す初期性能指数を受け付けるステップと、
前記二次電池の寿命時の性能を示す寿命性能指数を受け付けるステップと、
前記車両が前記二次電池を使用して走行可能な保障走行距離を受け付けるステップと、
前記二次電池の保障使用期間を受け付けるステップと、
前記初期性能指数と前記寿命性能指数と前記車両の走行距離とに基づいて、前記保障使用期間および前記保障走行距離を確保するために最低限必要な前記二次電池の性能を示す許容性能指数が前記走行距離の平方根に対して線形的に変化するように、前記許容性能指数を算出するステップと、
前記初期性能指数と前記寿命性能指数と前記二次電池の使用期間とに基づいて、前記許容性能指数が前記二次電池の前記使用期間の平方根に対して線形的に変化するように、前記許容性能指数を算出するステップとを備える、制御マップの作成方法。
【発明の詳細な説明】
【技術分野】
【０００１】
本発明は、二次電池の制御装置、二次電池の制御方法および制御マップの作成方法に関する。本発明は特に、二次電池の性能指数が規定されたマップを用いて二次電池を制御するための制御装置および制御方法ならびに、そのマップを作成するための方法に関する。
【背景技術】
【０００２】
モータにより発生された駆動力を用いて走行するハイブリッド自動車、燃料電池車、および電気自動車が公知である。これらの車両には、一般に、モータに電力を供給するための二次電池（以下では単に「電池」と呼ぶこともある）が搭載される。
【０００３】
電池の使用に伴い、電池の性能は次第に低下する。使用電池の劣化状態を把握するための技術あるいは電池の劣化状態を考慮して電池の充放電を制御するための技術がこれまでに提案されている。
【０００４】
たとえば特開２００７−３２３９９９号公報（特許文献１）は、電池の寿命が車両ごとにばらつくことを防止可能な制御装置を開示する。この制御装置は、電池の劣化速度を演算するとともに、その演算された劣化速度が基準劣化速度よりも大きい状態が所定時間継続した場合に電池の劣化抑制制御を実行する。
【０００５】
たとえば特開２００７−７４９８１号公報（特許文献２）は、電池の使用履歴に基づいて電池の余寿命を予測するとともに、パワートレインの運転操作者にその推定値を通知する技術を開示する。
【０００６】
たとえば特開２００６−１９７７６５号公報（特許文献３）は、電池の使用履歴に応じて電池の劣化状態余寿命を予測するとともに、その推定された劣化状態あるいは余寿命に基づいて電池が搭載された車両の評価価格を算定する技術を開示する。
【０００７】
たとえば特開２００９−１７７５２号公報（特許文献４）は、目標とする使用期間まで電池の寿命を維持させつつバッテリを有効に使用可能な制御装置を開示する。この制御装置は、電池が目標使用期間で寿命となるための電池の使用期間に応じた劣化状態を表わす目標劣化量を算出するとともに電池の現時点の劣化状態を表わす全体劣化量を算出する。制御装置は全体劣化量が目標劣化量に近づくように電池の充放電を制御する。
【０００８】
たとえば特開２００３−１９９２１１号公報（特許文献５）は、操作者の操作によって、駆動性を重視した充放電制御と、電池への負担の軽減を考慮した充放電制御とを切換えることによって電池の寿命を向上させることを可能にする制御装置を開示する。さらに上記の特許文献５は、充放電制御手段の実行履歴および充放電制限制御手段の実行履歴に基づいて電池の劣化を判定する技術を開示する。
【先行技術文献】
【特許文献】
【０００９】
【特許文献１】特開２００７−３２３９９９号公報
【特許文献２】特開２００７−７４９８１号公報
【特許文献３】特開２００６−１９７７６５号公報
【特許文献４】特開２００９−１７７５２号公報
【特許文献５】特開２００３−１９９２１１号公報
【発明の概要】
【発明が解決しようとする課題】
【００１０】
上記特許文献１から特許文献５のいずれの技術についても、電池の劣化を抑制しつつ電池を有効に活用する点において改善の余地がある。電池を有効に活用できなければ、たとえば、電池が劣化するにつれて車両の走行性能を十分に発揮できなくなる可能性が考えられる。
【００１１】
特許文献１の技術によれば、電池の劣化速度をできるだけ正確に推定することが要求される。さらに電池の制御の変化に伴って車両の挙動が変化する可能性があるので、ユーザが電池の劣化抑制制御の開始に気付かないように劣化抑制制御を実行することが望まれる。これに対し、特許文献２および特許文献３には、電池の性能の低下にともなう車両の駆動性能の変化については特に開示されていない。
【００１２】
特許文献４によれば、電池の使用期間のみに基づいて電池寿命が保障される。車両に搭載された電池の場合、電池の寿命は車両の走行にも影響される。しかし特許文献４には電池の寿命への車両の走行の影響は説明されていない。さらに特許文献４に記載の技術によれば、目標劣化量から全体劣化量を引いた許容劣化量が０未満の場合に放電が停止されるので、車両の走行性能が急激に変化する可能性がある。
【００１３】
特許文献５によれば、操作者の操作によって電池の寿命および電池の有効な活用の度合いが定まる。したがって電池の使用期間が目標期間よりも短くなる可能性、および車両の走行距離が目標距離よりも短くなる可能性がある。逆に操作者が電池の寿命を延ばすことを優先した場合には電池を有効に活用できないために車両の走行性能を十分に発揮することができない。
【００１４】
本発明は上述の課題を解決するためのものであって、その目的は、車両に搭載された二次電池の劣化状態に応じて二次電池を有効に活用可能な技術を提供することである。
【課題を解決するための手段】
【００１５】
本発明のある局面に従う二次電池の制御装置は、車両を走行させる電動機に電力を供給するための二次電池の制御装置である。制御装置は、記憶部と、検出部と、電池性能推定部と、許容性能推定部と、制御部とを備える。記憶部は、マップを記憶する。マップは、二次電池の使用可能期間および車両の走行可能距離を確保するために最低限必要な二次電池の性能を示す許容性能指数を、二次電池の使用期間および車両の走行距離の各々の平方根に基づいて規定する。検出部は、二次電池の充電時および放電時における二次電池の状態を検出する。電池性能推定部は、検出部の検出結果から、二次電池の現在の性能を示す電池性能指数を推定する。許容性能推定部は、二次電池の使用期間と、車両の走行距離と、記憶部に記憶されたマップとを用いて、許容性能指数を取得する。制御部は、電池性能推定部からの電池性能指数と許容性能推定部からの許容性能指数とを比較する。制御部は、その比較結果に基づいて二次電池の充放電を制御する。制御部は、電池性能指数が許容性能指数以上である場合には、二次電池の充放電に関する現在の制御を維持する。一方、制御部は、電池性能指数が許容性能指数より小さい場合には、二次電池の充放電のための制御を、現在の制御から、二次電池の劣化を抑制するための劣化抑制制御に変更する。
【００１６】
好ましくは、制御部は、二次電池の充放電制御のためのパラメータを用いて、二次電池の劣化状態を示す劣化係数を算出する。制御部は、電池性能指数が許容性能指数より小さい場合には、走行距離を用いて劣化係数を低下させる。制御部は、低下した劣化係数から得られるパラメータに基づいて劣化抑制制御を実行する。
【００１７】
好ましくは、制御部は、二次電池の充電状態を示す状態値を制御することによって二次電池の充放電を制御する。パラメータは、状態値の制御範囲の中心値である。劣化抑制制御の実行時に用いられる中心値は、現在の制御の実行時に用いられる中心値よりも小さい。
【００１８】
好ましくは、パラメータは、二次電池の温度の目標値である。劣化抑制制御の実行時に用いられる目標値は、現在の制御の実行時に用いられる目標値よりも小さい。
【００１９】
好ましくは、パラメータは、二次電池の許容入力電力量および許容出力電力量を含む。劣化抑制制御の実行時に用いられる許容入力電力量は、現在の制御の実行時に用いられる許容入力電力量よりも小さい。劣化抑制制御の実行時に用いられる許容出力電力量は、現在の制御の実行時に用いられる許容出力電力量よりも小さい。
【００２０】
好ましくは、パラメータは、二次電池の電圧の上限値である。劣化抑制制御の実行時に用いられる上限値は、現在の制御の実行時に用いられる上限値よりも小さい。
【００２１】
本発明の他の局面に従う二次電池の制御方法は、車両を走行させる電動機に電力を供給するための二次電池の制御方法である。制御方法は、二次電池の充電時および放電時における二次電池の状態に基づいて、二次電池の現在の性能を示す電池性能指数を推定するステップと、マップと、二次電池の使用期間と、車両の走行距離とを用いることにより、許容性能指数を取得するステップと、電池性能指数と許容性能指数とを比較することによって、二次電池の充放電を制御するステップとを備える。マップは、二次電池の使用可能期間および車両の走行可能距離を確保するために最低限必要な二次電池の性能を示す許容性能指数を、二次電池の使用期間および車両の走行距離の各々の平方根に基づいて規定する。制御するステップは、電池性能指数が許容性能指数以上である場合には、二次電池の充放電に関する現在の制御を維持するステップと、電池性能指数が許容性能指数より小さい場合には、二次電池の充放電のための制御を、現在の制御から、二次電池の劣化を抑制するための劣化抑制制御に変更するステップとを含む。
【００２２】
本発明のさらに他の局面に従う制御マップの作成方法は、車両を走行させる電動機に電力を供給するための二次電池を制御する制御装置に用いられる制御マップの作成方法である。制御マップの作成方法は、二次電池の初期性能を示す初期性能指数を受け付けるステップと、二次電池の寿命時の性能を示す寿命性能指数を受け付けるステップと、車両が二次電池を使用して走行可能な保障走行距離を受け付けるステップと、二次電池の保障使用期間を受け付けるステップと、初期性能指数と寿命性能指数と車両の走行距離とに基づいて、保障使用期間および保障走行距離を確保するために最低限必要な二次電池の性能を示す許容性能指数が走行距離の平方根に対して線形的に変化するように、許容性能指数を算出するステップと、初期性能指数と寿命性能指数と二次電池の使用期間とに基づいて、許容性能指数が二次電池の使用期間の平方根に対して線形的に変化するように、許容性能指数を算出するステップとを備える。
【発明の効果】
【００２３】
本発明によれば、車両に搭載された二次電池の劣化状態に応じて二次電池を有効に活用することができる。
【図面の簡単な説明】
【００２４】
【図１】本発明の実施の形態に係る制御装置を搭載した車両の構成例を示す図である。
【図２】図１に示したＥＣＵ３０の構成を説明するための機能ブロック図である。
【図３】図２に示したマップ記憶部４３に記憶されるマップ４４を説明するための図である。
【図４】図３に示したマップの作成方法を説明するためのフローチャートである。
【図５】図３に示したマップを用いたバッテリの充放電制御を説明するためのモデル図である。
【図６】バッテリの劣化を抑制するための制御を説明するためのモデル図である。
【図７】ユーザによるバッテリの使用ラインを説明するための図である。
【図８】本実施の形態に係る充放電制御を説明するためのフローチャートである。
【図９】充放電制御部によって変更されたマップを示した図である。
【図１０】図１に示したＥＣＵ３０の他の構成を示したブロック図である。
【図１１】図１０に示したマップ記憶部４３に記憶されるマップ４８を説明するための図である。
【発明を実施するための形態】
【００２５】
以下、本発明の実施の形態について図面を参照して詳細に説明する。なお、図中の同一または相当部分には同一符号を付して、その説明は繰返さない。
【００２６】
図１は、本発明の実施の形態に係る制御装置を搭載した車両の構成例を示す図である。図１を参照して、本発明の実施の形態に係る制御装置は、内燃機関と電動機と二次電池とを備えるハイブリッド車両１００に搭載される。
【００２７】
ハイブリッド車両１００は、バッテリ１０と、ＰＣＵ（Power  Control  Unit）１２と、電動機（モータ）１４と、エンジン１６と、動力分割機構１８と、発電機（ジェネレータ）２０と、減速機２２と、前輪２４，２６と、車輪速センサ２７，２８と、ＥＣＵ（Electronic  Control  Unit）３０と、電流センサ３１と、電圧センサ３２と、温度センサ３３とを含む。
【００２８】
バッテリ１０は、再充電可能な二次電池であり、たとえばニッケル水素電池、あるいはリチウムイオン電池等である。電流センサ３１は、バッテリ１０に入力されあるいはバッテリ１０から出力される電流Ｉｂを検出するとともに、その電流Ｉｂの値をＥＣＵ３０に送信する。電圧センサ３２は、バッテリ１０の電圧Ｖｂを検出するとともに、その電圧Ｖｂの値をＥＣＵ３０に送信する。温度センサ３３は、バッテリ１０の温度Ｔｂを検出するとともに、その温度Ｔｂの値をＥＣＵ３０に送信する。
【００２９】
ＰＣＵ１２は、バッテリ１０から供給された直流電圧を、モータ１４を駆動するための交流電圧に変換するインバータ（図示せず）を含む。このインバータは双方向の電力変換が可能なように構成され、モータ１４の回生制動によって発電された電力（交流電圧）およびジェネレータ２０によって発電された電力（交流電圧）を、バッテリ１０の充電用の直流電圧に変換する機能を有する。
【００３０】
ＰＣＵ１２は、直流電圧のレベル変換を行なうコンバータ（図示せず）をさらに含んでもよい。このようなコンバータを配置することによって、バッテリ１０の供給電圧よりも高い電圧を振幅とする交流電圧によってモータ１４を駆動することができるので、モータ１４の駆動効率を向上することができる。
【００３１】
エンジン１６は、ガソリン等を燃料とする内燃機関であり、燃料の燃焼によって動力を発生させる。動力分割機構１８は、エンジン１６からの出力を、減速機２２を介して前輪２４，２６へ伝達する経路と、ジェネレータ２０へ伝達する経路とに分割可能である。
【００３２】
ジェネレータ２０は、動力分割機構１８を介して伝達されたエンジン１６からの出力によって回転される。ジェネレータ２０の回転によって発電された電力は、ＰＣＵ１２によって、バッテリ１０および／またはモータ１４に供給される。
【００３３】
モータ１４は、ＰＣＵ１２から供給された交流電圧によって駆動される。モータ１４の出力は減速機２２および車軸を介して前輪２４，２６へ伝達される。また、モータ１４が前輪２４，２６の減速に伴って回転される回生制動時には、モータ１４は発電機として動作する。モータ１４によって発電された電力は、ＰＣＵ１２によってバッテリ１０に供給される。
【００３４】
車輪速センサ２７は、前輪２４の速度ＳＦＲを検出して、その検出値をＥＣＵ３０に送信する。車輪速センサ２８は、前輪２６の速度ＳＦＬを検出して、その検出値をＥＣＵ３０に送信する。
【００３５】
ＥＣＵ３０は、モータ１４およびジェネレータ２０を制御するためにＰＣＵ１２を制御する。ＥＣＵ３０により制御されたモータ１４およびジェネレータ２０によってバッテリ１０が充電または放電される。すなわちＥＣＵ３０は、ＰＣＵ１２を制御することによってバッテリ１０の充電および放電を制御する。さらにＥＣＵ３０は、エンジン１６を制御する。
【００３６】
ハイブリッド車両１００の発進時あるいは軽負荷時には、ハイブリッド車両１００はエンジン１６の出力を用いることなくモータ１４の出力のみによって走行する。この場合には、バッテリ１０からモータ１４に電力が供給される。通常走行時には、エンジン１６が始動され、エンジン１６からの出力は、動力分割機構１８によって、前輪２４，２６の駆動力と、ジェネレータ２０の発電用の駆動力とに分割される。ジェネレータ２０が発電した電力は、モータ１４の駆動に用いられる。加速時には、エンジン１６の出力が上昇するとともに、ジェネレータ２０が発電した電力が、モータ１４の駆動に用いられる。
【００３７】
減速時には、モータ１４が前輪２４，２６によって回転される。これによりモータ１４が発電機として動作する。モータ１４の回生発電によって回収された交流電力は、ＰＣＵ１２によって直流電圧に変換されてバッテリ１０の充電に用いられる。
【００３８】
ＥＣＵ３０は、バッテリ１０が充電および放電された時間を計測するとともに、計測された充電時間および放電時間を電池の使用期間として積算する。さらにＥＣＵ３０は、車輪速センサ２７，２８によって検出された車輪速に基づいて、ハイブリッド車両１００の走行距離を算出するとともに、その算出された走行距離を積算する。後に詳細に説明するが、ＥＣＵ３０は、バッテリ１０の使用期間とハイブリッド車両１００の走行距離とに基づいて、バッテリ１０の劣化を抑制し、かつハイブリッド車両１００の駆動性の急激な低下を抑制するようにバッテリ１０の充放電を制御する。
【００３９】
図２は、図１に示したＥＣＵ３０の構成を説明するための機能ブロック図である。図２に示した構成は、ハードウェアおよびソフトウェアのいずれによっても実現可能である。
【００４０】
図２を参照して、ＥＣＵ３０は、走行距離算出部４１と、電池使用期間計測部４２と、マップ４４を記憶するマップ記憶部４３と、許容性能推定部４５と、電池性能推定部４６と、充放電制御部４７とを備える。
【００４１】
走行距離算出部４１は、車輪速センサ２７，２８によってそれぞれ検出された車輪速ＳＦＲおよびＳＦＬに基づいてハイブリッド車両１００の走行距離を算出するとともに、その走行距離を積算する。走行距離算出部４１は、積算された走行距離を許容性能推定部４５に送信する。
【００４２】
電池使用期間計測部４２は、電流センサ３１によって検出されたバッテリ１０の電流Ｉｂに基づいて、バッテリ１０の使用期間を計測するとともに、その使用期間を積算する。たとえばバッテリ１０の放電時に電流センサ３１によって検出された電流値が正であり、バッテリ１０の充電時に電流センサ３１によって検出された電流値が負であるとする。電池使用期間計測部４２は、Ｉｂ＞０またはＩｂ＜０である時間を計測するとともに、その計測された時間を積算する。走行距離算出部４１は、積算された使用期間を許容性能推定部４５に送信する。
【００４３】
マップ記憶部４３は、マップ４４を記憶する定義する。マップ４４は充放電制御部４７によるバッテリ１０の充放電制御に使用される制御マップである。
【００４４】
バッテリ１０の使用にともない、バッテリ１０の性能は次第に低下する。マップ４４は、バッテリ１０の使用可能期間およびハイブリッド車両１００の走行可能距離を確保するために最低限必要なバッテリ１０の性能を示す許容性能指数を規定する。本実施の形態では、バッテリ１０の使用可能期間はバッテリ１０の保障使用期間に対応するとともに、ハイブリッド車両１００の走行可能距離は、バッテリ１０を使用したハイブリッド車両１００の保障走行距離に対応する。
【００４５】
許容性能推定部４５は、走行距離算出部４１により算出された走行距離、電池使用期間計測部４２により計測されたバッテリ１０の使用期間を用いて、マップ記憶部４３に記憶されたマップ４４を参照する。許容性能推定部４５はバッテリ１０の現在の許容性能指数ωをマップ記憶部４３から取得する。
【００４６】
電池性能推定部４６は、電流センサ３１によって検出されたバッテリ１０の電流Ｉｂ、電圧センサ３２によって検出されたバッテリ１０の電圧Ｖｂ、および温度センサ３３によって検出されたバッテリ１０の温度Ｔｂに基づいて、バッテリ１０の劣化状態（ＳＯＨ；State  of  Health）を推定するとともに、その推定された劣化状態に基づいてバッテリ１０の現在の性能を示す電池性能指数γｂａｔを推定する。
【００４７】
電池性能推定部４６によるＳＯＨの推定方法は特に限定されず、種々の公知の方法を適用することができる。したがって電池性能推定部４６によるＳＯＨの推定方法については詳細な説明を繰返さない。
【００４８】
たとえば電池性能推定部４６は放電電流Ｉｂに対するＳＯＣ（バッテリの充電状態を示す値）の変化率を求めるとともに、予め定義されたＳＯＣの変化率とＳＯＨとの間の相関関係に基づいて、ＳＯＨを推定する。放電電流の積算値が同じでも、バッテリが劣化するほどＳＯＣの低下量が大きくなる。したがって放電電流Ｉｂに対するＳＯＣの変化率に基づいてＳＯＨを推定することができる。
【００４９】
さらに電池性能推定部４６は、ＳＯＨと電池性能指数γｂａｔとを対応付けるマップ（図示せず）を予め記憶するとともに、推定されたＳＯＨとマップとに基づいて電池性能指数γｂａｔを推定する。マップに規定されたＳＯＨと電池性能指数γｂａｔとの間の相関関係は、たとえば電池の充放電の繰り返しにともなう電池の性能の低下の度合いを実験することによって予め定められる。
【００５０】
充放電制御部４７は、ＰＣＵ１２に対してバッテリ１０を充放電するための制御指令を出力する。ジェネレータ２０によりバッテリ１０を充電する場合、充放電制御部４７は、ＰＣＵ１２に対する制御指令を出力するだけでなく、エンジン１６にも制御指令を出力する。
【００５１】
充放電制御部４７は、電池性能指数γｂａｔと許容性能指数ωとを比較するとともに、その比較結果に基づいてバッテリ１０の充放電を制御する。電池性能指数γｂａｔが許容性能指数ω以上である場合、現在の充放電制御を継続しても保障使用期間あるいは保障走行距離を確保できる。この場合には、充放電制御部４７は、バッテリ１０の充放電に関する現在の制御を維持する。一方、電池性能指数γｂａｔが許容性能指数ωより小さい場合には、現在の充放電制御を継続すると、保障使用期間あるいは保障走行距離を確保できない可能性がある。この場合には、充放電制御部４７は、バッテリ１０の充放電のための制御を、現在の制御から、バッテリ１０の劣化を抑制するための劣化抑制制御に変更する。
【００５２】
図３は、図２に示したマップ記憶部４３に記憶されるマップ４４を説明するための図である。図３を参照して、マップでは、経過年数（電池使用期間）の平方根と、走行距離の平方根とによって、許容性能指数が定義される。
【００５３】
γ０は許容性能指数ωの初期値であり、バッテリ１０の初期性能を示す指数である。許容性能指数ωは、バッテリの使用期間（経過年数）およびハイブリッド車両１００の走行距離のうちの少なくとも一方が長くなるにつれて初期値γ０から低下する。
【００５４】
γａは、バッテリが寿命に達したときのバッテリの性能指数である。本実施の形態では、マップでは、経過年数がｎ（ｎ；自然数）であるか、または走行距離がｍ（ｍは自然数）である場合に、許容性能指数ωが寿命性能指数γａに等しくなるよう定義される。ｎは保障年数に対応し、ｍは保障走行距離に対応する。マップでの走行距離の単位は特に限定されるものではなく、たとえば「万マイル」あるいは「万ｋｍ」等である。
【００５５】
本実施の形態に係るマップの理解を容易とするため、図３では、具体的に、ｎ＝１０（年）、ｍ＝１５（万マイル）と設定されたマップを示している。ただしこれらの数値によって本実施の形態に係る充放電制御が限定されるものではない。
【００５６】
初期性能指数γ０と寿命性能指数γａとの間にはγ０＞γａとの関係が成立する。許容性能指数ωは、経過年数が１年増えるごとに低下するとともに走行距離が１．５（万マイル）増えるごとに低下する。
【００５７】
許容性能指数ωは、経過年数の平方根に対して線形的に変化するとともに、走行距離の平方根に対して線形的に変化するように定義される。初期性能指数γ０および寿命性能指数γａを実験等によって予め求めることにより、経過年数および走行距離に応じた許容性能指数ωを定義できる。
【００５８】
図３に示したマップは、図示されないコンピュータが所定の処理を実行することにより作成される。図４は、図３に示したマップの作成方法を説明するためのフローチャートである。なお以下では、図３のマップにおいて走行距離の平方根が並べられた方向および経過年数の平方根が並べられた方向をそれぞれ「行方向」および「列方向」とも呼ぶ。
【００５９】
図４を参照して、ステップＳ１において、コンピュータは、ユーザ等によって入力された初期性能指数γ０を受付ける。ステップＳ２において、コンピュータは、寿命性能指数γａを受付ける。初期性能指数γ０および寿命性能指数γａは、たとえばバッテリ１０の充電および放電に関する実験の結果に基づいて予め定められる。
【００６０】
ステップＳ３において、コンピュータは、ユーザによって入力された保障走行距離を受付ける。ステップＳ４において、コンピュータは、ユーザによって入力された保障年数を受付ける。ステップＳ１〜Ｓ４の処理は、上記の順序に従って実行されるよう限定されるものではなく、任意の順序で実行されてもよいし、複数のステップの処理が統合されてもよい。
【００６１】
ステップＳ５において、コンピュータは、経過年数が０であり、かつ走行距離が変化する場合における許容性能指数ωを算出する。コンピュータは、初期性能指数γ０および寿命性能指数γａを用いて、許容性能指数ωが走行距離の平方根に比例するように許容性能指数ωを算出する。より具体的には、ω＝γ０−｛（γ０−γａ）／√（保障走行距離）×√（走行距離）｝の式に従ってコンピュータは許容性能指数ωを算出する。これにより図３のマップの最上行の許容性能指数ωが算出される。
【００６２】
ステップＳ６において、コンピュータは、走行距離が０であり、かつ経過年数が変化する場合の許容性能指数ωを算出する。コンピュータは、初期性能指数γ０および寿命性能指数γａを用いて、許容性能指数ωが経過年数の平方根に比例するように許容性能指数ωを算出する。より具体的には、ω＝γ０−｛（γ０−γａ）／√（保障年数）×√（経過年数）｝の式に従ってコンピュータは許容性能指数ωを算出する。これにより、図３のマップの最も左側の列の許容性能指数ωが算出される。なおステップＳ５の処理とステップＳ６の処理とは、上記の順序と逆の順で実行されてもよい。
【００６３】
ステップＳ７において、コンピュータは、経過年数≠０かつ走行距離≠０の場合の許容性能指数ωを算出する。ステップＳ７の処理が終了すると、マップを作成するための処理は終了する。この処理結果は、たとえば、コンピュータの内部あるいは外部の記憶媒体によって記憶される。
【００６４】
図４の処理について、理解を容易にするために数値を用いて説明する。ただし本発明の実施の形態は、以下に説明する値（特に、ｎおよびｍの値）によって限定されるものではない。
【００６５】
たとえばステップＳ１〜Ｓ４の処理によって、コンピュータに、γ０＝１３０、γａ＝６０、ｎ＝１０（年）、ｍ＝１５（万マイル）との値が入力される。ステップＳ５においてコンピュータは、走行距離が√１．５，√３，・・・√（万マイル）と変化する場合における許容性能指数ω（＝γ１，γ２，γ３，・・・γ９）を算出する。たとえば、γ１＝１３０−（１３０−６０）／√（１０／１）＝１０７．９であり、γ２＝１３０−（１３０−６０）／√（１０／２）＝９８．７である。
【００６６】
ステップＳ６においてコンピュータは、経過年数が√１，√２，√３，・・・√１３．５（万マイル）と変化する場合における許容性能指数ω（＝γ１，γ２，・・・，γ９）を算出する。γ１，γ２等の算出方法は上記の方法と同様であるので以後の説明は繰返さない。
【００６７】
ステップＳ７において、コンピュータは、図３に示すマップ中の各欄に対応する許容性能指数ωを算出する。図３を参照して、コンピュータは、ｉ行ｊ列（２≦ｉ≦９，１≦ｊ≦ｉ）目の許容性能指数ωとして、ｉ行ｌ列目の許容性能指数を設定する。たとえば、３行２列目および３行３列目の許容性能指数は、３行１列目の許容性能指数と同じγ２である。またコンピュータは、最下行および最右列の許容性能指数として寿命性能指数γａを設定する。
【００６８】
図５は、図３に示したマップを用いたバッテリの充放電制御を説明するためのモデル図である。図５を参照して、電池性能の寿命保障は、バッテリの使用期間とハイブリッド車の走行距離との両方で成立させる必要がある。そこで、図５に示すように、使用期間の平方根、走行距離の平方根、および電池性能をそれぞれ軸とした３次元空間を設定する。電池性能の軸上に初期性能指数γ０に対応する点をとる。３軸の交点に対応する電池性能指数は、寿命性能指数γａである。
【００６９】
初期性能指数γ０に対応する電池性能軸上の点を頂点とし、その頂点から、保障年数の平方根√ｎに対応する軸上の点、保障走行距離の平方根√ｍに対応する軸上の点、ならびに、座標（√ｎ，√ｍ）に対応する点の各々へ線を引くことに３次元空間内に四角錐が形成される。四角錐の外表面に対応する電池性能指数は許容性能指数ωである。すなわち図３に示したマップは、図５に示した四角錐の表面上の電池性能指数を示す。
【００７０】
図５では、ある使用期間（ｘ）と走行距離（ｙ）とに基づくバッテリのＳＯＨから推定された電池性能指数γｂａｔに対応する点が示される。この点は、上記の四角錐の外側に位置する。この状態は電池性能指数γｂａｔが許容性能指数ωより大きい状態である。よって、この場合には、現在の充放電制御が維持される。一方、電池性能指数γｂａｔに対応する点が四角錐の内部に位置する場合、すなわち電池性能指数γｂａｔが許容性能指数ωよりも小さい場合には、バッテリの劣化を抑制するための劣化抑制制御が実行される。
【００７１】
図６は、バッテリの劣化を抑制するための制御を説明するためのモデル図である。図６を参照して、劣化抑制制御を実行することにより、保障走行距離が√ｍから√（ｍ＋σ）に変更される。このことは、四角錐の底面が、√（走行距離）の軸の方向に広がることを意味する。ただし、四角錐の底面は、√（経過年数）の軸の方向には広がらない。
【００７２】
図７は、ユーザによるバッテリの使用ラインを説明するための図である。図７を参照して、電池性能指数γｂａｔに対応する点Ｐが四角錐の内部に位置する場合、四角錐の底面を√（走行距離）の軸の方向に広げるとともに、点Ｐを限界点Ｐ１の位置まで移動させる。限界点Ｐ１は、点Ｐと、電池性能γｂａｔおよび経過年数が等しく、かつ走行距離をｙからｙ＋σに移動させた点である。上記のように点Ｐを移動させることによって、点Ｐと電池性能の軸との間の間隔は、√（ｘ＋ｙ）から√（ｘ＋ｙ＋σ）に変更される。
【００７３】
四角錐の底面が広がる前には、ユーザのバッテリ１０の使用に伴う電池性能指数の変化は、初期性能指数γ０に対応する点Ｐ０から点Ｐへ向かう矢印Ａ１によって表わされる。四角錐の底面が広がった後には、ユーザのバッテリ１０の使用に伴う電池性能指数の変化は、ユーザによるバッテリ１０の使用は、点Ｐ０と限界点Ｐ１とを結ぶ直線の方向を示す矢印Ａ２によって表わされる。√（走行距離＋経過年数）の軸に対する矢印Ａ１の傾きに比べて矢印Ａ２の傾きは小さくなる。つまり、走行距離および経過年数の少なくとも一方に対する電池性能の低下の度合いが小さくなるように電池の使用（充放電制御）が変更される。したがってバッテリの劣化を抑制することが可能になる。
【００７４】
電池性能指数γｂａｔを示す点Ｐは、バッテリの使用に伴い、矢印Ａ２の方向に沿って移動し、かつ、√（走行距離）の軸と√（経過年数）の軸とにより規定される平面に達する。この平面は、保障走行距離および保障年数により定められた寿命性能指数γａを示す。したがって、保障走行距離および保障年数を満足することができる。以上の理由により、本実施の形態によれば、バッテリの劣化を抑制しつつバッテリの性能が寿命性能に達するまでバッテリを使用できるので、バッテリを有効に活用することができる。
【００７５】
次に、充放電制御部４７による劣化抑制制御について、具体的に説明する。充放電制御部４７は、バッテリ１０の充放電制御のためのパラメータを用いて、バッテリ１０の劣化状態を示す劣化係数Ｋｂを算出する。電池性能指数γｂａｔが許容性能指数ωより小さい場合には、充放電制御部４７は、劣化係数Ｋｂを低下させるとともに、低下した劣化係数Ｋｂから得られるパラメータに基づいて劣化抑制制御を実行する。
【００７６】
変更前の劣化係数をＫｂ１とし、変更後の劣化係数をＫｂ２とする。ｙを走行距離とすると、充放電制御部４７は、Ｋｂ２＝Ｋｂ１×ｙ／（ｙ＋σ）を満たすように、バッテリの充放電制御を変更する。
【００７７】
充放電制御部４７は、以下の式に従って劣化係数Ｋｂ１，Ｋｂ２およびσを算出する。
まず、性能指数の低下量、すなわち劣化量は以下の式（１）に従って表わされる。
【００７８】
γ０−γｂａｔ＝√（α＋β）  …（１）
√αは、バッテリ１０を放置した場合の劣化量であり、√βは、ハイブリッド車両の走行（バッテリの使用）に伴う劣化量である。αは、使用期間ｘを用いて以下の式（２）に従って表わされる。
【００７９】
α＝Ｋａ×ｘ  …（２）
バッテリの劣化前のβをβ１と示し、バッテリの劣化後のβをβ２と示す。β１は以下の式（３）に従って表わされる。
【００８０】
β１＝Ｋｂ１×ｙ  …（３）
β２は以下の式（４）に従って表わされる。
【００８１】
β２＝Ｋｂ２×（ｙ＋σ）  …（４）
式（１）〜式（４）により、以下の式（５）が導かれる。
【００８２】
（γ０−γｂａｔ）２＝α＋β１＝α＋Ｋｂ１×ｙ＝α＋β２＝α＋Ｋｂ２×（ｙ＋σ）  …（５）
式（５）よりＫｂ２＝Ｋｂ１×ｙ／（ｙ＋σ）となる。
【００８３】
σは以下の式（６）に従って表わされる。ｍは保障走行距離である。
σ＝（ｍ×κ２−ｙ）／（１−κ２）  …（６）
ここで、κは以下の式（７）に従って表わされる。
【００８４】
κ＝（γ０−γｂａｔ）／（γ０−γａ）  …（７）
図８は、本実施の形態に係る充放電制御を説明するためのフローチャートである。
【００８５】
図８を参照して、ステップＳ１１において、電池性能推定部４６は、バッテリの電流Ｉｂ、電圧Ｖｂおよび温度Ｔｂに基づいて、バッテリ１０の現在のＳＯＨを推定し、その推定されたＳＯＨに基づいて電池性能指数γｂａｔを推定する。充放電制御部４７は、電池性能推定部４６から電池性能指数γｂａｔを取得する。
【００８６】
ステップＳ１２において、許容性能推定部４５は、走行距離算出部４１により算出された走行距離（積算値）および電池使用期間計測部４２により計測された使用期間（積算値）を取得するとともに、マップ記憶部４３に記憶されたマップ４４を参照する。これにより許容性能推定部４５は、許容性能指数ωをマップ４４から取得する。たとえば許容性能推定部４５は、マップ４４中の走行距離のうち走行距離算出部４１により算出された積算値に最も近い走行距離、マップ４４中の経過年数のうち電池使用期間計測部４２により計測された使用期間に最も近い経過年数に基づいて、許容性能指数ωを特定する。許容性能推定部４５は、許容性能指数ωを充放電制御部４７に出力する。
【００８７】
ステップＳ１３において、充放電制御部４７は、電池性能指数γｂａｔが許容性能指数ω以上であるか否かを判定する。γｂａｔ≧ωであると判定された場合（ステップＳ１３においてＹＥＳ）、処理はステップＳ１４に進む。ステップＳ１４において、充放電制御部４７は、現在の充放電制御を維持すると判定する。この場合には充放電制御は変更されない。
【００８８】
一方、γｂａｔ＜ωであると充放電制御部４７により判定された場合（ステップＳ１３においてＮＯ）、処理はステップＳ１５に進む。ステップＳ１５において、充放電制御部４７は、上記の式（６）および式（７）に従ってσを算出する。ステップＳ１６において、充放電制御部４７は、マップ記憶部４３に記憶されたマップ４４を更新する。
【００８９】
図９は、充放電制御部によって変更されたマップを示した図である。図９および図３を参照して、ｙ以上の走行距離は＋σシフトする。たとえば走行距離ｙは（ｙ＋σ）にシフトする。
【００９０】
図８に戻り、ステップＳ１７において、充放電制御部４７は、Ｋｂ２＝Ｋｂ１×ｙ／（ｙ＋σ）との関係に従い、劣化係数Ｋｂ１、走行距離ｙおよびσから劣化係数Ｋｂ２を算出する。劣化係数Ｋｂ１は、前回のルーチンでのステップＳ１７の処理により算出された劣化係数である。
【００９１】
ステップＳ１８において、充放電制御部４７は、バッテリ１０の充放電制御を、現在の制御からバッテリの劣化を抑制するための制御へと変更する。具体的には、充放電制御部４７は劣化係数Ｋｂ２から得られるパラメータに基づいて、バッテリ１０の充放電制御を変更する。ステップＳ１８の処理が終了すると処理はメインルーチンに戻され、以後、充放電制御部４７は、ステップＳ１８の処理によって設定された充放電制御を実行する。
【００９２】
続いて充放電制御部４７により実行されるバッテリの劣化抑制制御を説明する。以下に説明する複数の制御は、単独で実行されてもよく、組み合わせてもよい。
【００９３】
（第１の制御）
充放電制御部４７は、バッテリ１０のＳＯＣに基づいてバッテリの充放電を制御する。充放電制御部４７は、以下の式（８）に従って劣化係数Ｋｂを算出する。
【００９４】
Ｋｂ＝ａ×Ｔ＋ｂ×ＳＶ＋ｃ  …（８）
ａ，ｂ，ｃは係数であり、Ｔはバッテリ温度Ｔｂの目標値であり、ＳＶはＳＯＣの制御範囲の中心値である。
【００９５】
充放電制御部４７は、現在のバッテリ温度ＴｂおよびＳＯＣの制御範囲の中心値ＳＶに基づき劣化係数Ｋｂ１を算出する。次に充放電制御部４７は、現在の走行距離ｙ、式（６）および式（７）に基づいて、劣化係数Ｋｂ２を算出する。
【００９６】
充放電制御部４７は、バッテリ温度の目標値Ｔを維持し、劣化係数Ｋｂ２から中心値ＳＶを算出する。以後、充放電制御部４７は、ＳＯＣが中心値ＳＶの付近で推移するようにバッテリ１０の充放電を制御する。ＳＯＣの制御範囲の中心値ＳＶを低下させることにより、バッテリに蓄えられる電力量を少なくすることができる。これによりバッテリの劣化を抑制することができる。
【００９７】
充放電制御部４７は、ＳＯＣの制御範囲の中心値ＳＶを維持し、バッテリ温度の目標値Ｔを低下させることもできる。この場合、たとえばバッテリ１０に入出力される電力量が小さくなるようにバッテリ１０が充放電される。これによりバッテリの劣化を抑制することができる。
【００９８】
なお、バッテリ温度の目標値ＴおよびＳＯＣの制御範囲の中心値ＳＶの両方を変化させてもよい。また、充放電制御部４７は、以下の式（９）に従って、劣化係数Ｋｂを算出してもよい。
【００９９】
Ｋｂ＝ａ×ｅｘｐ［−（ｂ−ｃ×Ｖ）／Ｔ］  …（９）
ただし上記の式（８）に劣化係数を算出することにより、ＳＯＣの制御範囲の中心値ＳＶ、バッテリ温度の目標値Ｔを容易に算出できる。
【０１００】
（第２の制御）
充放電制御部４７は、バッテリ１０に入力される電力量が許容入力電力量Ｗｉｎを超えないようにバッテリ１０の充電を制御する。同様に、充放電制御部４７は、バッテリ１０から出力される電力量が許容出力電力量Ｗｏｕｔを超えないようにバッテリ１０の放電を制御する。
【０１０１】
充放電制御部４７は、以下の式（１０）および式（１１）に式に従ってＫｂ１＿ｉｎ，Ｋｂ１＿ｏｕｔを算出する。ａ，ｂは定数である。
【０１０２】
Ｋｂ１＿ｉｎ＝ａ×Ｗｉｎ  …（１０）
Ｋｂ１＿ｏｕｔ＝ｂ×Ｗｏｕｔ  …（１１）
次に、充放電制御部４７は、Ｋｂ２＿ｉｎ＝Ｋｂ１＿ｉｎ×ｙ／（ｙ＋σ），Ｋｂ２＿ｏｕｔ＝Ｋｂ１＿ｏｕｔ×ｙ／（ｙ＋σ）との式、現在の走行距離ｙ、式（６）および式（７）に基づいて、劣化係数Ｋｂ２＿ｉｎおよびＫｂ２＿ｏｕｔを算出する。
【０１０３】
次に充放電制御部４７は、Ｋｂ２＿ｉｎをａで割ることにより許容入力電力量Ｗｉｎを算出するとともに、Ｋｂ２＿ｏｕｔをｂで割ることにより許容出力電力量Ｗｏｕｔを算出する。充放電制御部４７は、新たに算出されたＷｉｎ，Ｗｏｕｔに従ってバッテリの充放電を制御する。
【０１０４】
第２の制御によれば、Ｗｉｎ，Ｗｏｕｔが小さくなるので、バッテリに入出力される電力量を小さくすることができる。これによりバッテリの劣化を抑制することができる。
【０１０５】
（第３の制御）
充放電制御部４７は、バッテリ電圧Ｖｂが上限電圧Ｖｕｐを超えないようにバッテリの充放電を制御する。充放電制御部４７は、以下の式（１２）に従って劣化係数Ｋｂを算出する。ａは定数である。
【０１０６】
Ｋｂ＝ａ×Ｖｕｐ  …（１２）
充放電制御部４７は、現在の上限電圧Ｖｕｐに基づき劣化係数Ｋｂ１を算出する。次に充放電制御部４７は、現在の走行距離ｙ、式（６）および式（７）に基づいて、劣化係数Ｋｂ２を算出する。充放電制御部４７は、劣化係数Ｋｂ２からバッテリの上限電圧Ｖｕｐを算出して、その上限電圧Ｖｕｐに基づいてバッテリ１０の充放電を制御する。
【０１０７】
第３の制御によれば、上限電圧Ｖｕｐは変更前の値より小さくなる。これにより、たとえばバッテリに入力される電力量を小さくすることができるので、バッテリの劣化を抑制することが可能になる。
【０１０８】
（寿命レベルの判定）
図１０は、図１に示したＥＣＵ３０の他の構成を示したブロック図である。図１０を参照して、マップ記憶部４３は、マップ４４に加えてマップ４８を記憶する。マップ４８は経過年数の平方根と走行距離の平方根とに基づいてバッテリの寿命レベルを定義する。充放電制御部４７は、マップ４８から、バッテリ１０の寿命レベルを取得する。なお充放電制御部４７は、上述した劣化抑制制御を実行する。このため、劣化抑制制御については以後の説明を繰り返さない。
【０１０９】
図１１は、図１０に示したマップ記憶部４３に記憶されるマップ４８を説明するための図である。図１１および図３を参照して、走行距離が０でありかつ経過年数が０である場合には、寿命レベルは１００（％）である。走行距離および経過年数の少なくとも一方が増加するにしたがって寿命レベルは低下する。寿命レベルは、許容性能指数に対応して設定される。経過年数が保障年数（この例では１０年）に達した場合、あるいは、走行距離が保障走行距離（この例では１５万マイル）に達した場合には、寿命レベルは０（％）になる。
【０１１０】
充放電制御部４７は、電池性能指数γｂａｔを図３に示したマップ４４と照合することにより、電池性能指数γｂａｔと最も近い許容性能指数ωを取得するとともに、その許容性能指数ωに対応する走行距離および使用年数を推定する。なお、図３のマップでは、同じ許容性能指数に対して走行距離および使用年数の組み合わせが複数存在するので、充放電制御部４７は、たとえば、その複数の組み合わせの中で、走行距離および使用年数の両方が最大となる組み合わせを選択する。
【０１１１】
充放電制御部４７は、その推定された走行距離および使用年数と、図１１に示したマップとに基づいて、バッテリ１０の現在の状態に対応する寿命レベルを推定する。充放電制御部４７は、その寿命レベルに基づいて、バッテリの残寿命を推定する。推定結果は充放電制御部４７の内部に記憶されてもよく、また、図示しない表示装置に表示されてもよい。
【０１１２】
以上のように本実施の形態によれば、走行距離と使用期間との両方からバッテリの性能を保障することができる。さらに本実施の形態によれば、ＳＯＨから推定された電池性能がマップによって定められた許容性能を下回る場合には、劣化係数が変更されるとともにその劣化係数に従って充放電が制御される。
【０１１３】
劣化係数が変更されることによってバッテリの劣化を抑制できるだけでなく、バッテリの充放電の抑制の度合いを調節できる。これにより、本実施の形態によれば、車両の駆動性を急激に低下させることなく、保障走行距離および保障年数の少なくとも一方に達するまでバッテリを使用することができる。したがってバッテリを有効に活用することができる。
【０１１４】
さらに本実施の形態によれば、バッテリの寿命レベルを判定できるので、バッテリの残寿命を推定できる。これにより、たとえば中古車市場において、購入対象のハイブリッド車両（中古車）のバッテリの寿命を判定できる。
【０１１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１６】
１０  バッテリ、１４  モータ、１６  エンジン、１８  動力分割機構、２０  ジェネレータ、２２  減速機、２４，２６  前輪、２７，２８  車輪速センサ、３１  電流センサ、３２  電圧センサ、３３  温度センサ、４１  走行距離算出部、４２  電池使用期間計測部、４３  マップ記憶部、４４，４８  マップ、４５  許容性能推定部、４６  電池性能推定部、４７  充放電制御部、１００  ハイブリッド車両、Ａ１，Ａ２  矢印、Ｐ，Ｐ０  点、Ｐ１  限界点。
【図１】
2011044346.tif 000003
【図２】
2011044346.tif 000004
【図３】
2011044346.tif 000005
【図４】
2011044346.tif 000006
【図５】
2011044346.tif 000007
【図６】
2011044346.tif 000008
【図７】
2011044346.tif 000009
【図８】
2011044346.tif 000010
【図９】
2011044346.tif 000011
【図１０】
2011044346.tif 000012
【図１１】
2011044346.tif 000013